(57)【要約】【課題】災害情報を的確に収集できるとともに、災害情報を効果的に伝達できる監視システムを提供する。【解決手段】被監視対象についての監視処理を行う監視機能を実行する監視装置１を備え、監視装置１は、広域ネットワークＢＡＮに接続され広域ネットワークＢＡＮにおける災害警報・注意報発信元Ｗｅｂサーバ２からなる災害情報発信源から所定の周期で災害情報を収集する災害情報収集手段を有し、前記災害情報収集手段により収集した災害情報が監視対象地域に該当するかどうかを災害情報有無判別手段によって判別するようにした。【選択図】図１
2007148477.tif 000002
【特許請求の範囲】
【請求項１】
被監視対象についての監視処理を行う監視機能を実行する監視用処理装置を備え、前記監視用処理装置は、広域ネットワークに接続され前記広域ネットワークにおける災害情報発信源から所定の周期で災害情報を収集する災害情報収集手段を有することを特徴とする監視システム。
【請求項２】
前記災害情報収集手段により収集した災害情報が監視対象地域に該当するかどうかを災害情報有無判別手段によって判別するようにしたことを特徴とする請求項１に記載の監視システム。
【請求項３】
前記災害情報収集手段により収集した災害情報が監視対象地域に該当するとの前記災害情報有無判別手段の判別動作に応じて報知手段を動作させることを特徴とする請求項２に記載の監視システム。
【請求項４】
前記災害情報収集手段により収集した災害情報が監視対象地域に該当するとの前記判別手段の判別動作に応じて災害情報を示す信号を同一の監視対象地域に属する他の監視用処理装置に送信することを特徴とする請求項２に記載の監視システム。
【請求項５】
災害情報を示す信号を受信した前記他の監視装置は、災害情報を示す信号の受信に応じて報知手段を動作させることを特徴とする請求項４に記載の監視システム。
【請求項６】
前記監視対象地域について前記災害情報収集手段により収集した災害情報が解除されたかどうかを判別する災害情報有無判別手段を設けたことを特徴とする請求項２に記載の監視システム。
【請求項７】
前記監視対象地域について前記災害情報収集手段により収集した災害情報が解除されたかどうかを判別する前記判別手段の解除判別動作に応じて災害情報を報知している報知手段を停止させて災害情報の解除を報知することを特徴とする請求項６に記載の監視システム。
【請求項８】
前記監視対象地域について前記災害情報収集手段により収集した災害情報が解除されたかどうかを判別する前記判別手段の解除判別動作に応じて災害情報が解除された旨の災害情報解除報知を報知手段を動作させて報知することを特徴とする請求項６に記載の監視システム。
【請求項９】
前記災害情報収集手段により収集した災害情報の解除が監視対象地域に該当するとの前記判別手段の判別動作に応じて災害情報の解除を示す信号を同一の監視対象地域に属する他の監視用処理装置に送信することを特徴とする請求項６に記載の監視システム。
【請求項１０】
前記災害情報の解除を示す信号を受信した他の監視用処理装置は、その解除信号の受信に応じて災害情報を報知している報知手段を停止させて災害情報の解除を報知することを特徴とする請求項９に記載の監視システム。
【請求項１１】
前記災害情報の解除を示す信号を受信した他の監視用処理装置は、その解除信号の受信に応じて災害情報が解除された旨の災害情報解除報知を報知手段を動作させて報知することを特徴とする請求項９に記載の監視システム。
【請求項１２】
前記災害情報収集手段が災害情報発信源からの災害情報の収集ができないことを検知した場合、その収集不能検知動作に応じて災害情報の収集ができない旨の収集不能報知を報知手段を動作させて報知することを特徴とする請求項１から請求項３までのいずれかに記載の監視システム。
【請求項１３】
前記災害情報収集手段が災害情報発信源からの災害情報の収集ができないことを検知した場合、その収集不能検知動作に応じて災害情報の収集不能を示す信号を他の監視用処理装置に送信することを特徴とする請求項３に記載の監視システム。
【請求項１４】
前記災害情報の収集不能を示す信号を受信した他の監視用処理装置は、その収集不能信号の受信に応じて災害情報の収集が不能である旨の災害情報収集不能報知を報知手段を動作させて報知することを特徴とする請求項１３に記載の監視システム。
【請求項１５】
前記災害情報収集手段が災害情報発信源からの災害情報の収集ができない収集不能状態から収集可能状態への回復を検知した場合、その収集回復検知動作に応じて災害情報の収集状態が回復した旨の収集回復報知を報知手段を動作させることにより報知することを特徴とする請求項１から請求項３までのいずれかに記載の監視システム。
【請求項１６】
前記災害情報収集手段が災害情報発信源からの災害情報の収集ができない収集不能状態から収集可能状態への回復を検知した場合、その収集回復検知動作に応じて災害情報の収集回復を示す信号を他の監視用処理装置に送信することを特徴とする請求項３に記載の監視システム。
【請求項１７】
前記災害情報の収集不能状態から収集可能状態への回復を示す信号を受信した他の監視用処理装置は、その収集不能信号の受信に応じて災害情報の収集が不能である旨の災害情報収集不能を報知している報知手段を停止させて収集可能状態への回復を報知することを特徴とする請求項１６に記載の監視システム。
【請求項１８】
前記監視用処理装置が他の監視用処理装置への災害情報の送信ができないことを検知した場合、その送信不能検知動作に応じて他の監視用処理装置への災害情報の送信ができない旨の送信不能報知を報知手段を動作させることにより報知することを特徴とする請求項４に記載の監視システム。
【請求項１９】
前記監視用処理装置が他の監視用処理装置への災害情報の送信ができない送信不能状態から送信可能状態への回復を検知した場合、その送信回復検知動作に応じて他の監視用処理装置への災害情報の送信回復を示す送信回復報知を報知手段を動作させることにより報知することを特徴とする請求項１８に記載の監視システム。
【請求項２０】
前記災害情報を受信する他の監視用処理装置は、災害情報を送信する監視用処理装置の故障有無を所定の周期で検知する故障検知手段を有することを特徴とする請求項４に記載の監視システム。
【請求項２１】
前記災害情報を受信する他の監視用処理装置における前記故障検知手段が災害情報を送信する監視用処理装置の故障を検知した場合、前記故障検知手段の故障検知動作に応じて災害情報を送信する監視用処理装置の故障により災害情報受信できない旨の災害情報受信不能報知を報知手段を動作させることにより報知することを特徴とする請求項２０に記載の監視システム。
【請求項２２】
前記災害情報を受信する他の監視用処理装置における前記故障検知手段が災害情報を送信する監視用処理装置の故障状態から送信可能状態への回復を検知した場合、前記故障検知手段の回復検知動作に応じて災害情報を送信する監視用処理装置の故障により災害情報受信できない旨の災害情報受信不能報知を報知手段を停止させて故障からの回復を報知することを特徴とする請求項２０に記載の監視システム。
【請求項２３】
前記災害情報収集手段により収集した災害情報が監視対象地域に該当するとの前記判別手段の判別動作に応じて災害情報を示す電子メールを所定の送信先に送信することを特徴とする請求項２に記載の監視システム。
【発明の詳細な説明】
【技術分野】
【０００１】
この発明は、監視システム、特に、プラント状態を監視する監視装置及び監視制御装置において、オペレータに大雨／洪水／地震等の災害警報・注意報を伝達するシステムに関するものである。
【背景技術】
【０００２】
従来技術における警報伝達システム（例えば、特許文献１参照）には、災害警報・注意報等の災害情報をウエブ機能を利用して収集する機能はなく、プラント等の被監視対象を監視する監視装置や監視制御装置を備えた監視システムに、このような従来技術を適用しても、災害情報を監視システムで的確に把握することは難しい。
【０００３】
【特許文献１】特開昭６４−１８３８３号公報
【発明の開示】
【発明が解決しようとする課題】
【０００４】
従来のシステムでは、機能的に大雨／洪水／地震等の災害警報・注意報を送信する装置と受信する装置に分離されているため、送信する装置が故障／停止した場合、災害警報・注意報の発生に気付かないという問題があった。また、ウエブ機能利用による大雨／洪水／地震等の災害警報・注意報を収集するシステムはなかった。
【０００５】
この発明は、上記のような課題を解決するためのものであり、災害情報を的確に収集できる監視システムを提供しようとするものである。
【課題を解決するための手段】
【０００６】
この発明に係る監視システムでは、監視機能を実行する監視用処理装置は、広域ネットワークに接続され前記広域ネットワークにおける災害情報発信源から所定の周期で災害情報を収集する災害情報収集手段を有するものである。
【発明の効果】
【０００７】
この発明によれば、災害情報を的確に収集できる監視システムを提供することができる。
【発明を実施するための最良の形態】
【０００８】
実施の形態１．
この発明による実施の形態１を図１および図２について説明する。図１は実施の形態１における構成を示すブロック図である。図２は実施の形態１における動作を示すフローチャート図である。
【０００９】
この発明による実施の形態１における構成を示す図１において、監視装置１は広域ネットワークＢＡＮに接続される。広域ネットワークＢＡＮには災害警報・注意報発信元Ｗｅｂサーバ装置２が接続されている。監視装置１には広域ネットワークＢＡＮとは直接的な接続連係を持たない別の非広域ネットワークＬＡＮを介して監視装置３が接続されている。
【００１０】
監視装置１では所定の監視対象地域におけるプラント等の被監視対象についてプロセス状況の監視を実行するものであって、プラント等の被監視対象からプロセスデータ等を取得して処理し、監視画面１１２に表示する。
監視装置１はプロセス入力処理部（図示せず）を有し、プラント等の被監視対象に設けられたプロセス入力装置を介してプラント等の被監視対象からのプロセスデータをプロセス入力処理部へ入力する。プロセス入力処理部は入力されたプロセスデータを監視制御に適した値（工学値）に変換処理し、変換処理されたプロセス値と警報制限値との比較処理を行って、その比較処理結果に応じ警報メッセージ等の生成処理を行い、その処理結果に基づく必要な情報を監視画面１１２に表示するものである。
ここでは、監視装置１をプラント等の被監視対象についてプロセス状況の監視を行う監視装置としているが、プラント等の被監視対象についてプロセス状況の監視を行うとともにプラント等の被監視対象についてプロセス制御をも行う監視制御装置とすることもできることは勿論である。
【００１１】
監視装置３では、監視装置１と同一の監視対象地域におけるプラント等の被監視対象についてプロセス状況の監視を実行するものであって、プラント等の被監視対象からプロセスデータ等を取得して処理し、監視画面１１３に表示する。
監視装置３は、監視装置１と同様に、プロセス入力処理部（図示せず）を有し、プラント等の被監視対象に設けられたプロセス入力装置を介してプラント等の被監視対象からのプロセスデータをプロセス入力処理部へ入力する。プロセス入力処理部は入力されたプロセスデータを監視制御に適した値（工学値）に変換処理し、変換処理されたプロセス値と警報制限値との比較処理を行って、その比較処理結果に応じ警報メッセージ等の生成処理を行い、その処理結果に基づく必要な情報を監視画面１１３に表示するものである。
ここでは、監視用処理装置としての監視装置３をプラント等の被監視対象についてプロセス状況の監視を行う監視装置としているが、プラント等の被監視対象についてプロセス状況の監視を行うとともにプラント等の被監視対象についてプロセス制御をも行う監視制御装置とすることもできることは勿論である。
【００１２】
広域ネットワークＢＡＮに接続されている災害警報・注意報発信元Ｗｅｂサーバ装置２は、Ｗｅｂ画面情報１１１に示すような災害情報発信源としての役割を有している。監視装置１は広域ネットワークＢＡＮを介して災害警報・注意報等の災害情報を収集することができる。
【００１３】
監視装置１は、ＣＰＵおよびメモリならびに入出力手段等の周辺装置を含むハードウエアと、前記ハードウエアを動作させるためのプログラムからなるソフトウエアを具備するサーバとして構成されているものであって、このサーバとしての構成によって、前記プロセス入力処理部を含む監視機能と、災害警報・注意報発信元Ｗｅｂサーバ装置２と監視装置３とに対する通信機能を遂行する。
そして、監視装置１には、災害警報・注意報発信元Ｗｅｂサーバ装置２に対する通信機能の一部として、災害警報・注意報等の災害情報を災害警報・注意報発信元Ｗｅｂサーバ装置２から情報把握に適した所定の周期で収集する災害情報収集手段および監視対象地域についての災害情報有無判別手段が設けられるとともに、監視装置３に対する通信手段が設けられている。
さらに、監視装置１には、災害情報の報知手段として監視画面１１２における災害情報表示機能が確保されるとともに、災害情報を報知するための警報装置４が設けられている。
【００１４】
また、監視装置３は、ＣＰＵおよびメモリならびに入出力手段等の周辺装置を含むハードウエアと、前記ハードウエアを動作させるためのプログラムからなるソフトウエアを具備するサーバとして構成されているものであって、このサーバとしての構成によって、前記プロセス入力処理部を含む監視機能と、監視装置１に対する通信機能を遂行する。
さらに、監視装置３には、災害情報の報知手段として監視画面１１３における災害情報表示機能が確保されるとともに、災害情報を報知するための警報装置５が設けられている。
【００１５】
次に、上記のような構成を持つ実施の形態１の動作について、図２に示すフローチャート図により説明する。
広域ネットワークＢＡＮに接続された監視装置１から、監視装置１における災害情報収集手段により災害警報・注意報発信元Ｗｅｂサーバ２にアクセスし、災害警報・注意報のＷｅｂ画面情報１１１を収集する（ステップＳＴ１）。
監視装置１における災害情報有無判別手段により災害警報・注意報のＷｅｂ画面情報１１１中から、監視装置に登録済の地域情報と一致する文字列を検索する（ステップＳＴ２）。
監視装置１に登録済の地域情報と一致する場合、監視装置画面１１２に警告メッセージを表示し（ステップＳＴ３）、監視装置１に接続された警報装置４から警告メッセージ，アラームを発行する（ステップＳＴ４）。
監視装置１は、非広域ネットワークＬＡＮに接続された監視装置３へ災害発生信号を送信する（ステップＳＴ５）。
災害発生信号を受信した監視装置３は、監視装置画面１１３に警告メッセージを表示し（ステップＳＴ６）、監視装置３に接続された警報装置５から警告メッセージ，アラームを発行する（ステップＳＴ７）。
【００１６】
このようなシステムにより、災害警報・注意報等の災害情報を確実に末端まで伝達することができ、信頼性を高めることが可能となる。
【００１７】
この発明による実施の形態１によれば、次の（１Ａ）項から（１Ｂ）項までにそれぞれ示す構成を具備し、それぞれ（１Ａ）項から（１Ｂ）項までに示される作用効果を奏するものである。
【００１８】
（１Ａ）この発明による実施の形態１によれば、プラント等の被監視対象についての監視処理を行う監視機能を実行する監視装置１からなる監視用処理装置を備え、前記監視装置１からなる監視用処理装置は、広域ネットワークＢＡＮに接続され前記広域ネットワークＢＡＮにおける災害警報・注意報発信元Ｗｅｂサーバ装置２からなる災害情報発信源から所定の周期で災害情報を収集する災害情報収集手段を有するので、災害情報を的確に収集できる監視システムを提供することができる。
【００１９】
（１Ｂ）この発明による実施の形態１によれば、前記（１Ａ）項における構成において、前記災害情報収集手段により収集した災害情報が監視対象地域に該当するかどうかを判別する判別手段を設けたので、監視対象地域に即した災害情報を的確に収集できる監視システムを提供することができる。
【００２０】
（１Ｃ）この発明による実施の形態１によれば、前記（１Ｂ）項における構成において、前記災害情報収集手段により収集した災害情報が監視対象地域に該当するとの前記判別手段の判別動作に応じて報知手段を動作させるようにしたので、監視対象地域に即した災害情報を的確に収集できるとともに、災害情報を周知徹底できる監視システムを提供することができる。
【００２１】
（１Ｄ）この発明による実施の形態１によれば、前記（１Ｂ）項における構成において、前記監視装置１からなる監視用処理装置は、前記災害情報収集手段により収集した災害情報を非広域ネットワークＬＡＮを介して前記監視装置１からなる監視用処理装置と同一の監視対象地域に属する監視装置３からなる他の監視用処理装置に送信するようにしたので、災害情報を的確に収集できるとともに、同一の監視対象地域において災害情報の伝達を効果的に行える監視システムを提供することができる。
【００２２】
（１Ｅ）この発明による実施の形態１によれば、前記（１Ｄ）項における構成において、災害情報を示す信号を受信した前記監視装置３からなる他の監視装置は、災害情報を示す信号の受信に応じて報知手段を動作させるようにしたので、災害情報を的確に収集できるとともに、同一の監視対象地域において災害情報の伝達および報知を効果的に行える監視システムを提供することができる。
【００２３】
実施の形態２．
この発明による実施の形態２を図３および図４について説明する。図３は実施の形態２における構成を示すブロック図である。図４は実施の形態２における動作を示すフローチャート図である。
この実施の形態２において、ここで説明する特有の構成以外の構成については、先に説明した実施の形態１における構成と同一の構成内容を具備し、同様の作用を奏するものである。図中、同一符号は同一または相当部分を示す。
【００２４】
上記実施の形態１では災害警報・注意報発令時に関する説明であったが、この実施の形態２では、災害警報・注意報発令が解除された場合について図３で説明する。
【００２５】
この発明による実施の形態２における構成を示す図３において、監視装置１は広域ネットワークＢＡＮに接続される。広域ネットワークＢＡＮには災害警報・注意報発信元Ｗｅｂサーバ装置２が接続されている。監視装置１には広域ネットワークＢＡＮとは直接的な接続連係を持たない別の非広域ネットワークＬＡＮを介して監視装置３が接続されている。
【００２６】
監視装置１は、ＣＰＵおよびメモリならびに入出力手段等の周辺装置を含むハードウエアと、前記ハードウエアを動作させるためのプログラムからなるソフトウエアを具備するサーバとして構成されているものであって、このサーバとしての構成によって、前記プロセス入力処理部を含む監視機能と、災害警報・注意報発信元Ｗｅｂサーバ装置２と監視装置３とに対する通信機能を遂行する。
そして、監視装置１には、災害警報・注意報発信元Ｗｅｂサーバ装置２に対する通信機能の一部として、災害警報・注意報等の災害情報を災害警報・注意報発信元Ｗｅｂサーバ装置２から情報把握に適した所定の周期で収集する災害情報収集手段および監視対象地域についての災害情報有無判別手段が設けられるとともに、監視装置３に対する通信手段が設けられている。
さらに、監視装置１には、災害情報の報知手段として監視画面１１２における災害情報表示機能が確保されるとともに、災害情報を報知するための警報装置４が設けられている。
【００２７】
また、監視装置３は、ＣＰＵおよびメモリならびに入出力手段等の周辺装置を含むハードウエアと、前記ハードウエアを動作させるためのプログラムからなるソフトウエアを具備するサーバとして構成されているものであって、このサーバとしての構成によって、前記プロセス入力処理部を含む監視機能と、監視装置１に対する通信機能を遂行する。
さらに、監視装置３には、災害情報の報知手段として監視画面１１３における災害情報表示機能が確保されるとともに、災害情報を報知するための警報装置５が設けられている。
【００２８】
次に、上記のような構成を持つ実施の形態２の動作について、図４に示すフローチャート図により説明する。
広域ネットワークに接続された監視装置１から、監視装置１における災害情報収集手段により災害警報・注意報発信元Ｗｅｂサーバ２にアクセスし、災害警報・注意報のＷｅｂ画面情報１１１を収集する（ステップＳＴ１）。
監視装置１における災害情報有無判別手段により災害警報・注意報のＷｅｂ画面情報１１１の中から、監視装置１に登録済の地域情報と一致する文字列を検索する（ステップＳＴ２）。
監視装置１に登録済の地域情報と一致しない場合、災害情報が解除されたものとして監視装置画面１１２の警告メッセージを消去し（ステップＳＴ３）、監視装置１に接続された警報装置４の警告メッセージ，アラーム発行を停止する（ステップＳＴ４）。
監視装置１は、非広域ネットワークＬＡＮに接続された監視装置３へ災害停止信号を送信する（ステップＳＴ５）。
災害停止信号を受信した監視装置３は、監視装置画面１１３の警告メッセージを消去し（ステップＳＴ６）、監視装置３に接続された警報装置５の警告メッセージ，アラーム発行を停止する（ステップＳＴ７）。
【００２９】
このようなシステムにより、災害警報・警告が解除されたことを迅速かつ的確に伝達することが可能となる。
【００３０】
この発明による実施の形態２によれば、次の（２Ａ）項から（２Ｅ）項までにそれぞれ示す構成を具備し、それぞれ（２Ａ）項から（２Ｅ）項までに示される作用効果を奏するものである。
【００３１】
（２Ａ）この発明による実施の形態２によれば、実施の形態１における前記（１Ａ）項における構成において、前記監視装置１からなる監視用処理装置における前記災害情報収集手段により収集した災害情報の解除が監視対象地域に該当するかどうかを判別する判別手段を設けたので、災害情報を的確に収集できるとともに、災害情報の解除を的確に把握できる監視システムを提供することができる。
【００３２】
（２Ｂ）この発明による実施の形態２によれば、前記（２Ａ）項における構成において、前記監視対象地域について前記監視装置１からなる監視用処理装置における前記災害情報収集手段により収集した災害情報が解除されたかどうかを判別する前記災害情報有無判別手段の解除判別動作に応じて災害情報を報知している報知手段を停止させて災害情報の解除を報知するようにしたので、災害情報を的確に収集できるとともに、災害情報の解除を的確に把握し報知できる監視システムを提供することができる。
【００３３】
（２Ｃ）この発明による実施の形態２によれば、前記（２Ａ）項における構成において、前記監視対象地域について前記監視装置１からなる監視用処理装置における前記災害情報収集手段により収集した災害情報が解除されたかどうかを判別する前記災害情報有無判別手段の解除判別動作に応じて災害情報が解除された旨の災害情報解除報知を報知手段を動作させて報知するようにしたので、災害情報を的確に収集できるとともに、災害情報の解除を的確に把握し報知できる監視システムを提供することができる。
【００３４】
（２Ｄ）この発明による実施の形態２によれば、前記（２Ａ）項における構成において、前記監視対象地域について前記監視装置１からなる監視用処理装置における前記災害情報収集手段により収集した災害情報が解除されたかどうかを判別する前記災害情報有無判別手段の解除判別動作に応じて災害情報の解除を示す信号を同一の監視対象地域に属する他の監視用処理装置に送信するようにしたので、災害情報を的確に収集できるとともに、災害情報の解除を的確に把握し伝達できる監視システムを提供することができる。
【００３５】
（２Ｅ）この発明による実施の形態２によれば、前記（２Ｄ）項における構成において、前記災害情報の解除を示す信号を受信した前記監視装置３からなる他の監視用処理装置は、その解除信号の受信に応じて災害情報を報知している報知手段を停止させて災害情報の解除を報知するようにしたので、災害情報を的確に収集できるとともに、災害情報の解除を的確に把握し伝達して報知できる監視システムを提供することができる。
【００３６】
（２Ｆ）この発明による実施の形態２によれば、前記（２Ｄ）項における構成において、前記災害情報の解除を示す信号を受信した前記監視装置３からなる他の監視用処理装置は、その解除信号の受信に応じて災害情報が解除された旨の災害情報解除報知を報知手段を動作させて報知するようにしたので、災害情報を的確に収集できるとともに、災害情報の解除を的確に把握し伝達して報知できる監視システムを提供することができる。
【００３７】
実施の形態３．
この発明による実施の形態３を図５および図６について説明する。図５は実施の形態３における構成を示すブロック図である。図６は実施の形態３における動作を示すフローチャート図である。
この実施の形態３において、ここで説明する特有の構成以外の構成については、先に説明した実施の形態１または実施の形態２における構成と同一の構成内容を具備し、同様の作用を奏するものである。図中、同一符号は同一または相当部分を示す。
【００３８】
上記実施の形態１および実施の形態２では災害警報・注意報発信元Ｗｅｂサーバ装置正常稼動時に関する説明であったが、この実施の形態３では、災害警報・注意報発信元Ｗｅｂサーバ装置停止／故障時の場合について図５で説明する。
【００３９】
この発明による実施の形態３における構成を示す図５において、監視装置１は広域ネットワークＢＡＮに接続される。広域ネットワークＢＡＮには災害警報・注意報発信元Ｗｅｂサーバ装置２が接続されている。監視装置１には広域ネットワークＢＡＮとは直接的な接続連係を持たない別の非広域ネットワークＬＡＮを介して監視装置３が接続されている。
【００４０】
監視装置１は、ＣＰＵおよびメモリならびに入出力手段等の周辺装置を含むハードウエアと、前記ハードウエアを動作させるためのプログラムからなるソフトウエアを具備するサーバとして構成されているものであって、このサーバとしての構成によって、前記プロセス入力処理部を含む監視機能と、災害警報・注意報発信元Ｗｅｂサーバ装置２と監視装置３とに対する通信機能を遂行する。
そして、監視装置１には、災害警報・注意報発信元Ｗｅｂサーバ装置２に対する通信機能の一部として、災害警報・注意報等の災害情報を災害警報・注意報発信元Ｗｅｂサーバ装置２から情報把握に適した所定の周期で収集する災害情報収集手段および監視対象地域についての災害情報有無判別手段が設けられるとともに、監視装置３に対する通信手段が設けられている。
さらに、監視装置１には、災害情報の報知手段として監視画面１１２における災害情報表示機能が確保されるとともに、災害情報を報知するための警報装置４が設けられている。
【００４１】
また、監視装置３は、ＣＰＵおよびメモリならびに入出力手段等の周辺装置を含むハードウエアと、前記ハードウエアを動作させるためのプログラムからなるソフトウエアを具備するサーバとして構成されているものであって、このサーバとしての構成によって、前記プロセス入力処理部を含む監視機能と、監視装置１に対する通信機能を遂行する。
さらに、監視装置３には、災害情報の報知手段として監視画面１１３における災害情報表示機能が確保されるとともに、災害情報を報知するための警報装置５が設けられている。
【００４２】
次に、上記のような構成を持つ実施の形態３の動作について、図６に示すフローチャート図により説明する。
広域ネットワークＢＡＮに接続された監視装置１から、監視装置１における災害情報収集手段により災害警報・注意報発信元Ｗｅｂサーバ２へアクセスし（ステップＳＴ１）、アクセスに失敗した場合、災害警報・注意報発信元Ｗｅｂサーバ２が故障／停止しているものとして監視装置１の監視装置画面１１２に警告メッセージを表示し（ステップＳＴ２）、監視装置１に接続された警報装置４から警告メッセージ，アラームを発行する（ステップＳＴ３）。
監視装置１は、非広域ネットワークＬＡＮに接続された監視装置３へ収集不能発生信号を送信する（ステップＳＴ４）。
収集不能発生信号を受信した監視装置３は、監視装置画面１１３の警告メッセージを発行し（ステップＳＴ５）、監視装置３に接続された警報装置５から警告メッセージ，アラームを発行する（ステップＳＴ６）。
【００４３】
このようなシステムにより、災害警報・注意報等の災害情報の収集に関する信頼性を高めることが可能となる。
【００４４】
（３Ａ）この発明による実施の形態３によれば、実施の形態１における（１Ａ）項から（１Ｃ）項までのいずれかの構成において、前記監視装置１からなる監視用処理装置における前記災害情報収集手段が災害情報発信源からの災害情報の収集ができないことを検知した場合、その収集不能検知動作に応じて災害情報の収集ができない旨の収集不能報知を報知手段を動作させて報知するようにしたので、災害情報を的確に収集できるとともに、災害情報の収集不能状態の発生を的確に把握し報知できる監視システムを提供することができる。
【００４５】
（３Ｂ）この発明による実施の形態３によれば、実施の形態１における（１Ｄ）項の構成において、前記監視装置１からなる監視用処理装置における前記災害情報収集手段が災害情報発信源からの災害情報の収集ができないことを検知した場合、その収集不能検知動作に応じて災害情報の収集不能を示す信号を他の監視用処理装置に送信するようにしたので、災害情報を的確に収集できるとともに、災害情報の収集不能状態の発生を的確に把握し伝達できる監視システムを提供することができる。
【００４６】
（３Ｃ）この発明による実施の形態３によれば、前記（３Ｂ）項の構成において、前記監視装置１からなる監視用処理装置から前記災害情報の収集不能を示す信号を受信した監視装置１からなる他の監視用処理装置は、その収集不能信号の受信に応じて災害情報の収集が不能である旨の災害情報収集不能報知を報知手段を動作させて報知するようにしたので、災害情報を的確に収集できるとともに、災害情報の収集不能状態の発生を的確に把握し伝達して報知できる監視システムを提供することができる。
【００４７】
実施の形態４．
この発明による実施の形態４を図７および図８について説明する。図７は実施の形態４における構成を示すブロック図である。図８は実施の形態４における動作を示すフローチャート図である。
この実施の形態４において、ここで説明する特有の構成以外の構成については、先に説明した実施の形態１から実施の形態３までのいずれかにおける構成と同一の構成内容を具備し、同様の作用を奏するものである。図中、同一符号は同一または相当部分を示す。
【００４８】
上記実施の形態３では災害警報・注意報発信元Ｗｅｂサーバ装置停止／故障時の説明であったが、この実施の形態４では、災害警報・注意報発信元Ｗｅｂサーバ装置停止／故障から回復した場合について図７で説明する。
この発明による実施の形態４における構成を示す図７において、監視装置１は広域ネットワークＢＡＮに接続される。広域ネットワークＢＡＮには災害警報・注意報発信元Ｗｅｂサーバ装置２が接続されている。監視装置１には広域ネットワークＢＡＮとは直接的な接続連係を持たない別の非広域ネットワークＬＡＮを介して監視装置３が接続されている。
【００４９】
監視装置１は、ＣＰＵおよびメモリならびに入出力手段等の周辺装置を含むハードウエアと、前記ハードウエアを動作させるためのプログラムからなるソフトウエアを具備するサーバとして構成されているものであって、このサーバとしての構成によって、前記プロセス入力処理部を含む監視機能と、災害警報・注意報発信元Ｗｅｂサーバ装置２と監視装置３とに対する通信機能を遂行する。
そして、監視装置１には、災害警報・注意報発信元Ｗｅｂサーバ装置２に対する通信機能の一部として、災害警報・注意報等の災害情報を災害警報・注意報発信元Ｗｅｂサーバ装置２から情報把握に適した所定の周期で収集する災害情報収集手段および監視対象地域についての災害情報有無判別手段が設けられるとともに、監視装置３に対する通信手段が設けられている。
さらに、監視装置１には、災害情報の報知手段として監視画面１１２における災害情報表示機能が確保されるとともに、災害情報を報知するための警報装置４が設けられている。
【００５０】
また、監視装置３は、ＣＰＵおよびメモリならびに入出力手段等の周辺装置を含むハードウエアと、前記ハードウエアを動作させるためのプログラムからなるソフトウエアを具備するサーバとして構成されているものであって、このサーバとしての構成によって、前記プロセス入力処理部を含む監視機能と、監視装置１に対する通信機能を遂行する。
さらに、監視装置３には、災害情報の報知手段として監視画面１１３における災害情報表示機能が確保されるとともに、災害情報を報知するための警報装置５が設けられている。
【００５１】
次に、上記のような構成を持つ実施の形態４の動作について、図８に示すフローチャート図により説明する。
広域ネットワークに接続された監視装置１から、監視装置１における災害情報収集手段により災害警報・注意報発信元Ｗｅｂサーバ２へアクセスし（ステップＳＴ１）、アクセスに成功した場合、前回のアクセス結果が失敗であれば（ステップＳＴ２）、災害警報・注意報発信元Ｗｅｂサーバ２が故障／停止状態から正常状態に回復し収集機能が回復したとして監視装置１の監視装置画面１１２に表示されている警告メッセージを消去し（ステップＳＴ３）、監視装置１に接続された警報装置４の警告メッセージ，アラーム発行を停止する（ステップＳＴ４）。
監視装置１は、非広域ネットワークＬＡＮに接続された監視装置３へ収集機能回復信号を送信する（ステップＳＴ５）。
収集機能回復信号を受信した監視装置３は、監視装置画面１１３の警告メッセージを消去し（ステップＳＴ６）、監視装置３に接続された警報装置５の警告メッセージ，アラーム発行を停止する（ステップＳＴ７）。
【００５２】
このようなシステムにより、収集不能状態が解消され収集可能状態に回復したことを迅速かつ的確に伝達することが可能となる。
【００５３】
（４Ａ）この発明による実施の形態４によれば、実施の形態１における（１Ａ）項から（１Ｃ）項までのいずれかの構成において、前記監視装置１からなる監視用処理装置における前記災害情報収集手段が災害警報・注意報発信元Ｗｅｂサーバ装置２からなる災害情報発信源からの災害情報の収集ができない収集不能状態から収集可能状態への回復を検知した場合、その収集回復検知動作に応じて災害情報の収集状態が回復した旨の収集回復報知を報知手段を動作させることにより報知するようにしたので、災害情報を的確に収集できるとともに、災害情報の収集不能状態からの回復を的確に把握し報知できる監視システムを提供することができる。
【００５４】
（４Ｂ）この発明による実施の形態４によれば、前記（４Ａ）項における構成において、前記監視装置１からなる監視用処理装置における前記災害情報収集手段が災害情報発信源からの災害情報の収集ができない収集不能状態から収集可能状態への回復を検知した場合、その収集回復検知動作に応じて災害情報の収集回復を示す信号を監視装置３からなる他の監視用処理装置に送信するようにしたので、災害情報を的確に収集できるとともに、災害情報の収集不能状態からの回復を的確に把握し伝達できる監視システムを提供することができる。
【００５５】
（４Ｃ）この発明による実施の形態４によれば、前記（４Ｂ）項における構成において、前記監視装置１からなる監視用処理装置における前記災害情報の収集不能状態から収集可能状態への回復を示す信号を受信した監視装置３からなる他の監視用処理装置は、その収集不能信号の受信に応じて災害情報の収集が不能である旨の災害情報収集不能を報知している報知手段を停止させて収集可能状態への回復を報知するようにしたので、災害情報を的確に収集できるとともに、災害情報の収集不能状態からの回復を的確に把握し伝達できる監視システムを提供することができる。
【００５６】
実施の形態５．
この発明による実施の形態５を図９および図１０について説明する。図９は実施の形態５における構成を示すブロック図である。図１０は実施の形態５における動作を示すフローチャート図である。
この実施の形態５において、ここで説明する特有の構成以外の構成については、先に説明した実施の形態１から実施の形態４までのいずれかにおける構成と同一の構成内容を具備し、同様の作用を奏するものである。図中、同一符号は同一または相当部分を示す。
【００５７】
上記実施の形態３および実施の形態４では災害警報・注意報発信元Ｗｅｂサーバ装置停止／故障・回復に関する説明であったが、この実施の形態５では、非広域ネットワークＬＡＮに接続された監視装置停止／故障時の場合について図９で説明する。
この発明による実施の形態５における構成を示す図９において、監視装置１は広域ネットワークＢＡＮに接続される。広域ネットワークＢＡＮには災害警報・注意報発信元Ｗｅｂサーバ装置２が接続されている。監視装置１には広域ネットワークＢＡＮとは直接的な接続連係を持たない別の非広域ネットワークＬＡＮを介して監視装置３が接続されている。
【００５８】
監視装置１は、ＣＰＵおよびメモリならびに入出力手段等の周辺装置を含むハードウエアと、前記ハードウエアを動作させるためのプログラムからなるソフトウエアを具備するサーバとして構成されているものであって、このサーバとしての構成によって、前記プロセス入力処理部を含む監視機能と、災害警報・注意報発信元Ｗｅｂサーバ装置２と監視装置３とに対する通信機能を遂行する。
そして、監視装置１には、災害警報・注意報発信元Ｗｅｂサーバ装置２に対する通信機能の一部として、災害警報・注意報等の災害情報を災害警報・注意報発信元Ｗｅｂサーバ装置２から情報把握に適した所定の周期で収集する災害情報収集手段および監視対象地域についての災害情報有無判別手段が設けられるとともに、監視装置３に対する通信手段が設けられている。
さらに、監視装置１には、災害情報の報知手段として監視画面１１２における災害情報表示機能が確保されるとともに、災害情報を報知するための警報装置４が設けられている。
【００５９】
また、監視装置３は、ＣＰＵおよびメモリならびに入出力手段等の周辺装置を含むハードウエアと、前記ハードウエアを動作させるためのプログラムからなるソフトウエアを具備するサーバとして構成されているものであって、このサーバとしての構成によって、前記プロセス入力処理部を含む監視機能と、監視装置１に対する通信機能を遂行する。
さらに、監視装置３には、災害情報の報知手段として監視画面１１３における災害情報表示機能が確保されるとともに、災害情報を報知するための警報装置５が設けられている。
【００６０】
次に、上記のような構成を持つ実施の形態５の動作について、図１０に示すフローチャート図により説明する。
広域ネットワークに接続された監視装置１から、監視装置１における災害情報収集手段により災害警報・注意報発信元Ｗｅｂサーバ２にアクセスし、災害警報・注意報のＷｅｂ画面情報１１１を収集する（ステップＳＴ１）。
監視装置１における災害情報有無判別手段により災害警報・注意報のＷｅｂ画面情報１２１の中から、監視装置１に登録済の地域情報と一致する文字列を検索する（ステップＳＴ２）。監視装置１に登録済の地域情報と一致する場合、監視装置画面１１２に警告メッセージを表示し（ステップＳＴ３）、監視装置１に接続された警報装置４から警告メッセージ，アラームを発行する（ステップＳＴ４）。
監視装置１は、非広域ネットワークＬＡＮに接続された監視装置３への災害発生信号送信に失敗した場合（ステップＳＴ５）、監視装置３が故障／停止状態になっているとして監視装置画面１１２に災害発生信号送信失敗の警告メッセージを表示し（ステップＳＴ６）、監視装置１に接続された警報装置４から警告メッセージ，アラームを発行する（ステップＳＴ７）。
【００６１】
このようなシステムにより、災害警報・注意報等の災害情報の未伝達を通知することで、信頼性を高めることが可能となる。
【００６２】
（５Ａ）この発明による実施の形態５によれば、実施の形態１における（１Ｄ）項の構成において、前記監視装置１からなる監視用処理装置が前記監視装置３からなる他の監視用処理装置への災害情報の送信ができないことを検知した場合、その送信不能検知動作に応じて前記監視装置３からなる他の監視用処理装置への災害情報の送信ができない旨の送信不能報知を報知手段を動作させることにより報知するようにしたので、災害情報を的確に収集できるとともに、他の監視用処理装置への災害情報の送信ができない旨を報知し信頼性を向上できる監視システムを提供することができる。
【００６３】
実施の形態６．
この発明による実施の形態６を図１１および図１２について説明する。図１１は実施の形態６における構成を示すブロック図である。図１２は実施の形態６における動作を示すフローチャート図である。
この実施の形態６において、ここで説明する特有の構成以外の構成については、先に説明した実施の形態１から実施の形態５までのいずれかにおける構成と同一の構成内容を具備し、同様の作用を奏するものである。図中、同一符号は同一または相当部分を示す。
【００６４】
上記実施の形態５では、非広域ネットワークＬＡＮに接続された監視装置停止／故障時の説明であったが、この実施の形態６では、非広域ネットワークＬＡＮに接続された監視装置停止／故障から回復した場合について図１１で説明する。
この発明による実施の形態６における構成を示す図１１において、監視装置１は広域ネットワークＢＡＮに接続される。広域ネットワークＢＡＮには災害警報・注意報発信元Ｗｅｂサーバ装置２が接続されている。監視装置１には広域ネットワークＢＡＮとは直接的な接続連係を持たない別の非広域ネットワークＬＡＮを介して監視装置３が接続されている。
【００６５】
監視装置１は、ＣＰＵおよびメモリならびに入出力手段等の周辺装置を含むハードウエアと、前記ハードウエアを動作させるためのプログラムからなるソフトウエアを具備するサーバとして構成されているものであって、このサーバとしての構成によって、前記プロセス入力処理部を含む監視機能と、災害警報・注意報発信元Ｗｅｂサーバ装置２と監視装置３とに対する通信機能を遂行する。
そして、監視装置１には、災害警報・注意報発信元Ｗｅｂサーバ装置２に対する通信機能の一部として、災害警報・注意報等の災害情報を災害警報・注意報発信元Ｗｅｂサーバ装置２から情報把握に適した所定の周期で収集する災害情報収集手段および監視対象地域についての災害情報有無判別手段が設けられるとともに、監視装置３に対する通信手段が設けられている。
さらに、監視装置１には、災害情報の報知手段として監視画面１１２における災害情報表示機能が確保されるとともに、災害情報を報知するための警報装置４が設けられている。
【００６６】
また、監視装置３は、ＣＰＵおよびメモリならびに入出力手段等の周辺装置を含むハードウエアと、前記ハードウエアを動作させるためのプログラムからなるソフトウエアを具備するサーバとして構成されているものであって、このサーバとしての構成によって、前記プロセス入力処理部を含む監視機能と、監視装置１に対する通信機能を遂行する。
さらに、監視装置３には、災害情報の報知手段として監視画面１１３における災害情報表示機能が確保されるとともに、災害情報を報知するための警報装置５が設けられている。
【００６７】
次に、上記のような構成を持つ実施の形態６の動作について、図１２に示すフローチャート図により説明する。
広域ネットワークに接続された監視装置１から、監視装置１における災害情報収集手段により災害警報・注意報発信元Ｗｅｂサーバ２にアクセスし、災害警報・注意報のＷｅｂ画面情報１２３を収集する（ステップＳＴ１）。
監視装置１における災害情報有無判別手段により災害警報・注意報のＷｅｂ画面情報１１１中から、監視装置１に登録済の地域情報と一致する文字列を検索する（ステップＳＴ２）。
監視装置１に登録済の地域情報と一致する場合、監視装置画面１１２に警告メッセージを表示し（ステップＳＴ３）、監視装置１に接続された警報装置４から警告メッセージ，アラームを発行する（ステップＳＴ４）。
監視装置１は、非広域ネットワークＬＡＮに接続された監視装置３への災害発生信号送信に成功した場合（ステップＳＴ５）、前回の災害発生信号の送信が失敗であれば（ステップＳＴ６）、監視装置３の故障／停止状態が解消して送信不能が回復したものとして監視装置画面１１２の災害発生信号送信失敗警告メッセージを消去し（ステップＳＴ７）、監視装置１に接続された警報装置４からの災害発生信号送信失敗警告メッセージ，アラームを停止する（ステップＳＴ７）。但し、災害警報・注意報に関する警告メッセージ，アラームは継続して通知する。
【００６８】
このようなシステムにより、通知不能状態が解除されたことを迅速かつ的確に伝達することが可能となる。
【００６９】
（６Ａ）この発明による実施の形態６によれば、実施の形態５における（５Ａ）項の構成において、前記監視装置１からなる監視用処理装置が前記監視装置３からなる他の監視用処理装置への災害情報の送信ができない送信不能状態から送信可能状態への回復を検知した場合、その送信回復検知動作に応じて前記監視装置３からなる他の監視用処理装置への災害情報の送信回復を示す送信回復報知を報知手段を動作させることにより報知するようにしたので、災害情報を的確に収集できるとともに、他の監視用処理装置への災害情報の送信回復を報知し信頼性を向上できる監視システムを提供することができる。
【００７０】
実施の形態７．
この発明による実施の形態７を図１３および図１４について説明する。図１３は実施の形態７における構成を示すブロック図である。図１４は実施の形態７における動作を示すフローチャート図である。
この実施の形態７において、ここで説明する特有の構成以外の構成については、先に説明した実施の形態１から実施の形態６までのいずれかにおける構成と同一の構成内容を具備し、同様の作用を奏するものである。図中、同一符号は同一または相当部分を示す。
【００７１】
上記実施の形態５および実施の形態６では、非広域ネットワークＬＡＮに接続された監視装置停止／故障・回復に関する説明であったが、この実施の形態７では、大雨／洪水／地震等の災害警報・注意報を収集する監視装置停止／故障時の場合について図１３で説明する。
【００７２】
この発明による実施の形態７における構成を示す図１３において、監視装置１は広域ネットワークＢＡＮに接続される。広域ネットワークＢＡＮには災害警報・注意報発信元Ｗｅｂサーバ装置２が接続されている。監視装置１には広域ネットワークＢＡＮとは直接的な接続連係を持たない別の非広域ネットワークＬＡＮを介して監視装置３が接続されている。
【００７３】
監視装置１は、ＣＰＵおよびメモリならびに入出力手段等の周辺装置を含むハードウエアと、前記ハードウエアを動作させるためのプログラムからなるソフトウエアを具備するサーバとして構成されているものであって、このサーバとしての構成によって、前記プロセス入力処理部を含む監視機能と、災害警報・注意報発信元Ｗｅｂサーバ装置２と監視装置３とに対する通信機能を遂行する。
そして、監視装置１には、災害警報・注意報発信元Ｗｅｂサーバ装置２に対する通信機能の一部として、災害警報・注意報等の災害情報を災害警報・注意報発信元Ｗｅｂサーバ装置２から情報把握に適した所定の周期で収集する災害情報収集手段および監視対象地域についての災害情報有無判別手段が設けられるとともに、監視装置３に対する通信手段が設けられている。
さらに、監視装置１には、災害情報の報知手段として監視画面１１２における災害情報表示機能が確保されるとともに、災害情報を報知するための警報装置４が設けられている。
【００７４】
また、監視装置３は、ＣＰＵおよびメモリならびに入出力手段等の周辺装置を含むハードウエアと、前記ハードウエアを動作させるためのプログラムからなるソフトウエアを具備するサーバとして構成されているものであって、このサーバとしての構成によって、前記プロセス入力処理部を含む監視機能と、監視装置１に対する通信機能を遂行する。
そして、監視装置３には、監視装置１に対する通信機能の一部として監視装置１の監視装置３に対する通信不能等の故障を検知する故障検知手段が設けられている。
さらに、監視装置３には、災害情報の報知手段として監視画面１１３における災害情報表示機能が確保されるとともに、災害情報を報知するための警報装置５が設けられている。
【００７５】
次に、上記のような構成を持つ実施の形態７の動作について、図１５に示すフローチャート図により説明する。
非広域ネットワークＬＡＮに接続された監視装置３から、監視装置３における故障検知手段により大雨／洪水／地震等の災害警報・注意報を収集する監視装置１に対して起動確認信号を定周期で送信する（ステップＳＴ１）。
災害警報・注意報を収集する監視装置１から起動確認信号に対する応答が一定時間内に返信されない場合（ステップＳＴ２）は、災害警報・注意報を収集する監視装置１の停止／故障と判断し、監視装置画面１１３に災害警報・注意報収集不能の警告メッセージを表示し（ステップＳＴ３）、監視装置３に接続された警報装置５から警告メッセージ，アラームを発行する（ステップＳＴ４）。
【００７６】
このようなシステムにより、災害警報・注意報等の災害情報収集に関する信頼性を得ることができる。
【００７７】
（７Ａ）この発明による実施の形態７によれば、実施の形態１における（１Ｄ）項の構成において、前記災害情報を受信する前記監視装置３からなる他の監視用処理装置は、災害情報を前記監視装置３からなる他の監視用処理装置へ送信する監視装置１からなる監視用処理装置の故障有無を所定の周期で検知する故障検知手段を有するので、災害情報を的確に収集できるとともに、災害情報を送信する監視用処理装置の故障を検知し信頼性を向上できる監視システムを提供することができる。
【００７８】
（７Ｂ）この発明による実施の形態７によれば、前記（７Ａ）項の構成において、前記災害情報を受信する前記監視装置３からなる他の監視用処理装置における前記故障検知手段が災害情報を送信する監視装置１からなる監視用処理装置の故障を検知した場合、前記故障検知手段の故障検知動作に応じて災害情報を送信する監視用処理装置の故障により災害情報受信できない旨の災害情報受信不能報知を報知手段を動作させることにより報知するようにしたので、災害情報を的確に収集できるとともに、災害情報を送信する監視用処理装置の故障を検知し報知して信頼性を向上できる監視システムを提供することができる。
【００７９】
実施の形態８．
この発明による実施の形態８を図１５および図１６について説明する。図１５は実施の形態８における構成を示すブロック図である。図１６は実施の形態８における動作を示すフローチャート図である。
この実施の形態８において、ここで説明する特有の構成以外の構成については、先に説明した実施の形態１から実施の形態７までのいずれかにおける構成と同一の構成内容を具備し、同様の作用を奏するものである。図中、同一符号は同一または相当部分を示す。
【００８０】
上記実施の形態７では、非広域ネットワークＬＡＮに接続された監視装置停止／故障に関する説明であったが、この実施の形態８では、大雨／洪水／地震等の災害警報・注意報を収集する監視装置停止／故障・回復時の場合について図１５で説明する。
【００８１】
この発明による実施の形態８における構成を示す図１５において、監視装置１は広域ネットワークＢＡＮに接続される。広域ネットワークＢＡＮには災害警報・注意報発信元Ｗｅｂサーバ装置２が接続されている。監視装置１には広域ネットワークＢＡＮとは直接的な接続連係を持たない別の非広域ネットワークＬＡＮを介して監視装置３が接続されている。
【００８２】
監視装置１は、ＣＰＵおよびメモリならびに入出力手段等の周辺装置を含むハードウエアと、前記ハードウエアを動作させるためのプログラムからなるソフトウエアを具備するサーバとして構成されているものであって、このサーバとしての構成によって、前記プロセス入力処理部を含む監視機能と、災害警報・注意報発信元Ｗｅｂサーバ装置２と監視装置３とに対する通信機能を遂行する。
そして、監視装置１には、災害警報・注意報発信元Ｗｅｂサーバ装置２に対する通信機能の一部として、災害警報・注意報等の災害情報を災害警報・注意報発信元Ｗｅｂサーバ装置２から情報把握に適した所定の周期で収集する災害情報収集手段および監視対象地域についての災害情報有無判別手段が設けられるとともに、監視装置３に対する通信手段が設けられている。
さらに、監視装置１には、災害情報の報知手段として監視画面１１２における災害情報表示機能が確保されるとともに、災害情報を報知するための警報装置４が設けられている。
【００８３】
また、監視装置３は、ＣＰＵおよびメモリならびに入出力手段等の周辺装置を含むハードウエアと、前記ハードウエアを動作させるためのプログラムからなるソフトウエアを具備するサーバとして構成されているものであって、このサーバとしての構成によって、前記プロセス入力処理部を含む監視機能と、監視装置１に対する通信機能を遂行する。
そして、監視装置３には、監視装置１に対する通信機能の一部として監視装置１の監視装置３に対する通信不能等の故障を検知する故障検知手段が設けられている。
さらに、監視装置３には、災害情報の報知手段として監視画面１１３における災害情報表示機能が確保されるとともに、災害情報を報知するための警報装置５が設けられている。
【００８４】
次に、上記のような構成を持つ実施の形態８の動作について、図６に示すフローチャート図により説明する。
非広域ネットワークＬＡＮに接続された監視装置３から、監視装置３に設けられた故障検知手段により大雨／洪水／地震等の災害警報・注意報を収集する監視装置１に対して起動確認信号を定周期で送信する（ステップＳＴ１）。
災害警報・注意報を収集する監視装置１から起動確認信号に対する応答が返信された場合（ステップＳＴ２）、前回の起動確認信号送信に対する応答が一定時間内に返信されていなければ（ステップＳＴ３）、災害警報・注意報を収集する監視装置１の停止／故障・回復と判断し、監視装置画面１１３の災害警報・注意報収集不能の警告メッセージを削除して（ステップＳＴ４）、監視装置３に接続された警報装置５から発行される災害警報・注意報収集不能警告メッセージ，アラームを停止する（ステップＳＴ５）。
【００８５】
このようなシステムにより、災害警報・注意報等の災害情報伝達に関する通知不能状態が解除されたことを迅速かつ的確に伝達することが可能となる。
【００８６】
（８Ａ）この発明による実施の形態８によれば、実施の形態７における（７Ｂ）項の構成において、前記災害情報を受信する前記監視装置３からなる他の監視用処理装置における前記故障検知手段が災害情報を送信する監視用処理装置の故障状態から送信可能状態への回復を検知した場合、前記監視装置３からなる他の監視用処理装置における前記故障検知手段の回復検知動作に応じて災害情報を送信する監視装置１からなる監視用処理装置の故障により災害情報受信できない旨の災害情報受信不能報知を報知手段を停止させて故障からの回復を報知するようにしたので、災害情報を的確に収集できるとともに、災害情報を送信する監視用処理装置の故障回復を検知し報知して信頼性を向上できる監視システムを提供することができる。
【００８７】
実施の形態９．
この発明による実施の形態９を図１７および図１８について説明する。図１７は実施の形態９における構成を示すブロック図である。図１８は実施の形態９における動作を示すフローチャート図である。
この実施の形態９において、ここで説明する特有の構成以外の構成については、先に説明した実施の形態１から実施の形態８までのいずれかにおける構成と同一の構成内容を具備し、同様の作用を奏するものである。図中、同一符号は同一または相当部分を示す。
【００８８】
実施の形態９では、電話回線に接続された携帯電話に対して、電子メールを送信する動作について図１７で説明する。
この発明による実施の形態９における構成を示す図１７において、監視装置１は広域ネットワークＢＡＮに接続される。広域ネットワークＢＡＮには災害警報・注意報発信元Ｗｅｂサーバ装置２が接続されている。
監視装置１は公衆電話回線に接続され、携帯電話６と電子メール等による通信が可能となっている。
【００８９】
監視装置１は、ＣＰＵおよびメモリならびに入出力手段等の周辺装置を含むハードウエアと、前記ハードウエアを動作させるためのプログラムからなるソフトウエアを具備するサーバとして構成されているものであって、このサーバとしての構成によって、前記プロセス入力処理部を含む監視機能と、災害警報・注意報発信元Ｗｅｂサーバ装置２に対する通信機能を遂行する。
そして、監視装置１には、災害警報・注意報発信元Ｗｅｂサーバ装置２に対する通信機能の一部として、災害警報・注意報等の災害情報を災害警報・注意報発信元Ｗｅｂサーバ装置２から情報把握に適した所定の周期で収集する災害情報収集手段および監視対象地域についての災害情報有無判別手段が設けられるとともに、監視装置１は公衆電話回線に接続され所定の送信先としての携帯電話６に対する通信手段が設けられている。
さらに、監視装置１には、災害情報の報知手段として監視画面１１２における災害情報表示機能が確保されるとともに、災害情報を報知するための警報装置４が設けられている。
【００９０】
次に、上記のような構成を持つ実施の形態９の動作について、図１８に示すフローチャート図により説明する。
広域ネットワークに接続された監視装置１から、監視装置１に設けられた災害情報収集手段により災害警報・注意報発信元Ｗｅｂサーバ２にアクセスし、災害警報・注意報のＷｅｂ画面情報１１１を収集する（ステップＳＴ１）。
監視装置１に設けられた災害情報有無判別手段により災害警報・注意報のＷｅｂ画面情報１２５の中から、監視装置１に登録済の地域情報と一致する文字列を検索する（ステップＳＴ２）。
監視装置１に登録済の地域情報と一致する場合、監視装置画面１１２に警告メッセージを表示し（ステップＳＴ３）、監視装置１に登録済の電子メールアドレス先に災害警報・注意報の警告メッセージを送信する（ステップＳＴ４）。
【００９１】
このようなシステムにより、災害警報・注意報等の災害情報を遠隔地まで伝達することができ、信頼性を高めることが可能となる。
【００９２】
（９Ａ）この発明による実施の形態９によれば、実施の形態１における（１Ｂ）項の構成において、前記監視装置１からなる監視用処理装置における前記災害情報収集手段により収集した災害情報が監視対象地域に該当するとの前記判別手段の判別動作に応じて災害情報を示す電子メールを携帯電話６等の所定の送信先に送信するようにしたので、災害情報を的確に収集できるとともに、災害情報を効果的に伝達できる監視システムを提供することができる。
【００９３】
この発明による実施の形態においては、次の（１）項から（１９）項にそれぞれ示す構成が提示されている。
【００９４】
（１）広域ネットワークに接続されたプラント状態を監視する監視装置及び監視制御装置において、大雨／洪水／地震等の災害警報・注意報をウエブサイト（災害警報・注意報発信元Ｗｅｂサーバ装置）から定周期に収集するシステムである。
【００９５】
（２）前記（１）項において収集した災害警報・注意報が、監視対象地域に該当するか検索し、判定する事を特徴とするシステムである。
【００９６】
（３）前記（２）項において監視対象地域と一致する場合、オペレータに対し、画面あるいは音声による報知手段を動作させる事により通知する事を特徴とするシステムである。
【００９７】
（４）前記（１）項において災害警報・注意報発信先装置故障等の理由により、大雨／洪水／地震等の災害警報・注意報を収集できない場合、オペレータに対し、災害警報・注意報の収集ができないことを画面あるいは音声による報知手段を動作させる事により通知する事を特徴とするシステムである。
【００９８】
（５）前記（１）項において災害警報・注意報発信先装置故障等の理由により、大雨／洪水／地震等の災害警報・注意報を収集できない場合、災害警報・注意報の収集を行わない監視装置に対し、災害警報・注意報収集不能を示す信号を送信する事を特徴とするシステムである。
【００９９】
（６）前記（４）項において収集不能状態から収集可能状態（災害警報・注意報発信先装置故障回復）に変化した場合、オペレータに対し、画面あるいは音声による災害警報・注意報の収集不能報知手段を停止する事を特徴とするシステムである。
【０１００】
（７）前記（４）項において収集不能状態から収集可能状態（災害警報・注意報発信先装置故障回復）に変化した場合、災害警報・注意報の収集を行わない監視装置に対し、災害警報・注意報収集不能回復を示す信号を送信する事を特徴とするシステムである。
【０１０１】
（８）前記（２）項において監視対象地域と一致する場合、災害警報・注意報の収集を行わない監視装置に対し、災害警報・注意報を示す信号を送信する事を特徴とするシステムである。
【０１０２】
（９）前記（２）項において監視対象地域と一致する場合、電話回線、あるいはネットワーク経由で災害警報・注意報を示す電子メールを送信する事を特徴とするシステムである。
（１０）前記（８）項において災害警報・注意報を示す信号を受信した災害警報・注意報の収集を行わない監視装置は、オペレータに対し、画面あるいは音声による報知手段を動作させる事により通知する事を特徴とするシステムである。
（１１）前記（８）項において災害警報・注意報の収集を行わない監視装置故障等の理由により、災害警報・注意報を示す信号を送信できない場合、オペレータに対し、災害警報・注意報を示す信号を送信できないことを画面あるいは音声による報知手段を動作させる事により通知する事を特徴とするシステムである。
【０１０３】
（１２）前記（１１）項において信号送信不能状態から信号送信可能状態（災害警報・注意報の収集を行わない監視装置故障回復）に変化した場合、オペレータに対し、画面あるいは音声による災害警報・注意報を示す信号送信不能報知手段を停止する事を特徴とするシステムである。
【０１０４】
（１３）前記（１）項において収集した災害警報・注意報の解除が、監視対象地域に該当するかを判定する事を特徴とするシステムである。
【０１０５】
（１４）前記（１３）項において監視対象地域と一致する場合、監視装置からオペレータに対し、画面あるいは音声による報知手段を停止させる事により、解除を通知する、あるいは、解除されたことを画面あるいは音声による報知手段を動作させる事により通知する事を特徴とするシステムである。
【０１０６】
（１５）前記（１３）項において監視対象地域と一致する場合、災害警報・注意報の収集を行わない監視装置に対し、災害警報・注意報の解除を示す信号を送信する事を特徴とするシステムである。
【０１０７】
（１６）前記（１５）項において災害警報・注意報の解除を示す信号を受信した災害警報・注意報の収集を行わない監視装置は、オペレータに対し、画面あるいは音声による報知手段を停止させる事により、解除を通知する。あるいは、解除されたことを、画面あるいは音声による報知手段を動作させる事により通知する事を特徴とするシステムである。
【０１０８】
（１７）災害警報・注意報の収集を行わない監視装置は、災害警報・注意報を定周期に収集する監視装置の故障有無を定周期で監視する事を特徴とするシステムである。
【０１０９】
（１８）前記（１）項において災害警報・注意報発信先装置故障、及び請求項１７において災害警報・注意報を定周期に収集する監視装置の故障を検知した場合、オペレータに対し、災害警報・注意報収集監視装置故障により、災害警報・注意報を通知できない事を画面あるいは音声による報知手段を動作させる事により通知する事を特徴とするシステムである。
【０１１０】
（１９）前記（７）項において災害警報・注意報発信先装置回復、及び前記（１７）項において災害警報・注意報収集監視装置故障による災害警報・注意報通知不能状態から災害警報・注意報通知可能状態（災害警報・注意報収集監視装置回復）に変化した場合、オペレータに対し、画面あるいは音声による災害警報・注意報通知不能報知手段を停止する事を特徴とするシステムである。
【図面の簡単な説明】
【０１１１】
【図１】この発明による実施の形態１における構成を示すブロック図である。
【図２】この発明による実施の形態１における動作を示すフローチャート図である。
【図３】この発明による実施の形態２における構成を示すブロック図である。
【図４】この発明による実施の形態２における動作を示すフローチャート図である。
【図５】この発明による実施の形態３における構成を示すブロック図である。
【図６】この発明による実施の形態３における動作を示すフローチャート図である。
【図７】この発明による実施の形態４における構成を示すブロック図である。
【図８】この発明による実施の形態４における動作を示すフローチャート図である。
【図９】この発明による実施の形態５における構成を示すブロック図である。
【図１０】この発明による実施の形態５における動作を示すフローチャート図である。
【図１１】この発明による実施の形態６における構成を示すブロック図である。
【図１２】この発明による実施の形態６における動作を示すフローチャート図である。
【図１３】この発明による実施の形態７における構成を示すブロック図である。
【図１４】この発明による実施の形態７における動作を示すフローチャート図である。
【図１５】この発明による実施の形態８における構成を示すブロック図である。
【図１６】この発明による実施の形態８における動作を示すフローチャート図である。
【図１７】この発明による実施の形態９における構成を示すブロック図である。
【図１８】この発明による実施の形態９における動作を示すフローチャート図である。
【符号の説明】
【０１１２】
１  監視装置、２  災害警報・注意報発信元Ｗｅｂサーバ装置、３  監視装置、４，５  警報装置。
【図１】
2007148477.tif 000003
【図２】
2007148477.tif 000004
【図３】
2007148477.tif 000005
【図４】
2007148477.tif 000006
【図５】
2007148477.tif 000007
【図６】
2007148477.tif 000008
【図７】
2007148477.tif 000009
【図８】
2007148477.tif 000010
【図９】
2007148477.tif 000011
【図１０】
2007148477.tif 000012
【図１１】
2007148477.tif 000013
【図１２】
2007148477.tif 000014
【図１３】
2007148477.tif 000015
【図１４】
2007148477.tif 000016
【図１５】
2007148477.tif 000017
【図１６】
2007148477.tif 000018
【図１７】
2007148477.tif 000019
【図１８】
2007148477.tif 000020